(57)【要約】【課題】  側壁に身体を支持させた状態のリラックス感を伴って入浴した入浴者の背中が水を噴出するノズル部を塞いでしまうことを回避した浴槽を提供する。【解決手段】  入浴者Ａの背中に対向する側壁２に、入浴者Ａの肩を凭れかける肩支持部４を設けると共に、水を噴出するノズル部３を設け、肩支持部４に肩を支持させた入浴者Ａの背中とノズル部３との間に隙間Ｓを形成させるための隙間形成手段５を備える。【選択図】        図１
2007260170.tif 000002
【特許請求の範囲】
【請求項１】
入浴者の背中に対向する側壁に、入浴者の肩を凭れかける肩支持部を設けると共に、水を噴出するノズル部を設け、肩支持部に肩を支持させた入浴者の背中とノズル部との間に隙間を形成させるための隙間形成手段を備えたことを特徴とする浴槽。
【請求項２】
上記隙間形成手段が、浴槽の底壁における上記入浴者の背中に対向する側壁から離れた位置に臀部載置部を設けると共に、この臀部載置部に臀部挿入用の凹部を凹設して成ることを特徴とする請求項１記載の浴槽。
【請求項３】
上記隙間形成手段が、入浴者Ａの背中に対向する側壁の上部に槽内方に突出して肩支持部を設け、肩支持部よりも下方の該側壁の壁面を、浴槽の底壁の臀部載置部と肩支持部とを結ぶ線よりも槽外方に位置させると共に、該臀部載置部と肩支持部とを結ぶ線に略平行に形成し、この肩支持部よりも下方の該側壁の壁面にノズル部を設けて成ることを特徴とする請求項１記載の浴槽。
【請求項４】
上記隙間形成手段が、入浴者の背中に対向する側壁に槽外方に凹ませた凹み部を設けると共に、この凹み部の底部にノズル部を配設して成ることを特徴とする請求項１記載の浴槽。
【請求項５】
上記凹み部が、入浴者の背中に対向する側壁の上下に亘って形成した凹条溝で構成したことを特徴とする請求項４記載の浴槽。
【発明の詳細な説明】
【技術分野】
【０００１】
本発明は、水を噴出する装置を付設した浴槽に関するものである。
【背景技術】
【０００２】
従来から、図５のように浴槽１にジェットバス装置等の槽内に水を噴出する装置を付設した場合、噴出した水を入浴者Ａの背中に当てて入浴者Ａにマッサージ効果を付与するために、入浴者Ａの背中に対向する側壁２に水を噴出するノズル部３を設けることが行われている（たとえば特許文献１参照）。
【０００３】
しかしながら、図５（ａ）のように入浴者Ａが自然な入浴姿勢をとった際には、入浴者Ａの背中が該側壁２全体に沿って凭れかけられてノズル部３を塞いでしまう恐れがあるものであり、このような場合には入浴者Ａには予期せぬ強さの噴出圧を与えてしまうものであった。なお、ノズル部３を塞がないようにするには、図５（ｂ）のように入浴者Ａはその臀部を該側壁２から離間させた浴槽１の底壁１ｂの部位に位置させるという不自然な入浴姿勢をとることで対処することができるが、この不自然な入浴姿勢では自然な入浴姿勢とは違って水の噴射圧に耐えることが難しく、リラックス感を得ることができないものであった。
【特許文献１】特開２０００−１４００５８号公報
【発明の開示】
【発明が解決しようとする課題】
【０００４】
本発明は上記の従来の問題点に鑑みて為したものであって、側壁に身体を支持させた状態のリラックス感を伴って入浴した入浴者の背中が水を噴出するノズル部を塞いでしまうことを回避した浴槽を提供することを課題とするものである。
【課題を解決するための手段】
【０００５】
上記課題を解決するために本発明の請求項１に係る浴槽は、入浴者Ａの背中に対向する側壁２に、入浴者Ａの肩を凭れかける肩支持部４を設けると共に、水を噴出するノズル部３を設け、肩支持部４に肩を支持させた入浴者Ａの背中とノズル部３との間に隙間Ｓを形成させるための隙間形成手段５を備えたことを特徴とする。これによると、隙間形成手段５によって、入浴者Ａの背中に対向する側壁２に設けたノズル部３が、該側壁２の肩支持部４に肩を支持させてリラックスした状態にある入浴者Ａの背中によって塞がれることを防止でき、入浴者Ａに予期せぬ噴出圧を付与してしまうことを回避できる。
【０００６】
また請求項２に係る浴槽は、請求項１において、上記隙間形成手段５が、浴槽１の底壁１ｂにおける上記入浴者Ａの背中に対向する側壁２から離れた位置に臀部載置部６を設けると共に、この臀部載置部６に臀部挿入用の凹部７を凹設して成ることを特徴とする。これによると、浴槽１の底壁１ｂにおける入浴者Ａの背中に対向する側壁２から離れた位置に設けた臀部載置部６に臀部を位置させると共に、肩支持部４に肩を支持させた入浴者Ａの入浴姿勢は、ノズル部３を塞がないもののノズル部３から噴出する噴出圧に耐えることが難しい不自然な入浴姿勢であるが、入浴者Ａはその臀部を臀部載置部６に凹設した臀部挿入用の凹部７に挿入させることができるから上記噴出圧に耐えることが容易であってリラックス感を得ることができる。すなわち、入浴者Ａはノズル部３を塞がずにリラックス感をもって浴槽１内に浸かることができる。
【０００７】
また請求項３に係る浴槽は、請求項１において、上記隙間形成手段５が、入浴者Ａの背中に対向する側壁２の上部に槽内方に突出して肩支持部４を設け、肩支持部４よりも下方の該側壁２の壁面２ａを、浴槽１の底壁１ｂの臀部載置部６と肩支持部４とを結ぶ線よりも槽外方に位置させると共に、該臀部載置部６と肩支持部４とを結ぶ線に略平行に形成し、この肩支持部４よりも下方の該側壁２の壁面２ａにノズル部３を設けて成ることを特徴とする。これによると、入浴者Ａの背中に対向する側壁２の上部に槽内方に突設した肩支持部４に肩を凭れかけて入浴者Ａが自然な入浴姿勢をとった場合、ノズル部３の設けられる肩支持部４よりも下方の該側壁２の壁面２ａを、浴槽１の底壁１ｂの臀部載置部６と肩支持部４とを結ぶ線よりも外方に位置させると共に該臀部載置部６と肩支持部４とを結ぶ線に略平行に形成したから、自然な入浴姿勢にある入浴者Ａの背中がノズル部３を塞いでしまうことがない。すなわち、入浴者Ａはノズル部３を塞がずにリラックス感をもって浴槽１内に浸かることができる。なお、上記肩支持部４よりも下方の入浴者Ａの背中に対向する側壁２の壁面２ａは比較的広い部位であってノズル部３を複数個設けることもできるが、この場合、全てのノズル部３で入浴者Ａの背中が塞いでしまうことが回避できると共に、各ノズル部３と入浴者Ａの背中との間には一定の隙間Ｓを有するようにできるから、全てのノズル部３から入浴者Ａに所定の噴出圧を付与することができる。
【０００８】
また請求項４に係る浴槽は、請求項１において、上記隙間形成手段５が、入浴者Ａの背中に対向する側壁２に槽外方に凹ませた凹み部８を設けると共に、この凹み部８の底部８ａにノズル部３を配設して成ることを特徴とする。これによると、入浴者Ａがその背中を入浴者Ａの背中に対向する側壁２に凭れかけるというリラックス感を伴う自然な入浴姿勢をとった場合にも、この入浴者Ａの背中に対向する側壁２に槽外方に凹ませた凹み部８を設けると共に、この凹み部８の底部８ａにノズル部３を配設したので、少なくとも入浴者Ａの背中とノズル部３との間には凹み部８の深さ分の距離をとることができるのであり、したがって、入浴者Ａはノズル部３を塞がずにリラックス感をもって浴槽１内に浸かることができる。
【０００９】
また請求項５に係る浴槽は、請求項４において、上記凹み部８が、入浴者Ａの背中に対向する側壁２の上下に亘って形成した凹条溝９で構成したことを特徴とする。これによると、浴槽１の上下に亘る凹条溝９には複数個のノズル部３を浴槽１の上下方向に並べて設けることができ、全てのノズル部３で入浴者Ａの背中が塞いでしまうことを回避できる。
【発明の効果】
【００１０】
本発明は、入浴者の背中に対向する側壁に入浴者がその身体を凭れかけた状態で、この入浴者の背中に対向する側壁に設けたノズル部が入浴者の背中よって塞がれることを防止でき、入浴者に予期せぬ噴出圧を付与してしまうことを回避できる、といった利点を有する。
【発明を実施するための最良の形態】
【００１１】
以下、本発明を添付図面に示す実施形態に基いて説明する。
【００１２】
図１に本発明の実施の形態の例を示す。本例の浴槽１は水を噴出する装置を付設した浴槽１であり、入浴者Ａの背中が対向する側壁２に水を噴出するノズル部３が配設されていて、入浴者Ａの背中にノズル部３から噴出した水を当ててこの噴出圧によって入浴者Ａの背中にマッサージを施し得るようにしている。詳しくは、浴槽１は底壁１ｂの周囲に側壁１ａを立ち上げて平面視で略長方形状の槽部１ｃを形成しており、入浴者Ａは槽部１ｃの長手方向に沿って身体を浸からせることが可能にされている。すなわち、浴槽１の長手方向の端部に位置する一方の側壁１ａが入浴者Ａの背中が対向する側壁２となっている。なお、便宜上、上記一方の側壁１ａと対向する浴槽１の長手方向の端部に位置する他方の側壁１ａは足側壁１０と称する。そして、この入浴者Ａの背中に対向する側壁２に、入浴者Ａの腰部や背中に水を噴射させて噴射圧でマッサージを施し得るようにノズル部３が配設されている。詳しくは、入浴者Ａの背中に対向する側壁２の上部には入浴者Ａの肩を凭れかける肩支持部４が設けられているが、ノズル部３は該入浴者Ａの背中に対向する側壁２の肩支持部４より下方の壁面２ａに配設されている。なお、水を噴出する装置としては、特に図示はしないが、浴槽１の槽部１ｃに設けた浴水取込口に一端を接続した循環流路に圧送ポンプを備えると共に、空気混入部を備え、循環流路の他端に吐出口となるノズル部３を備えて成るジェットバス装置や、上記ジェットバス装置の構成に加えて循環流路の空気混入部の下流部分に混入された空気を微細化する微細気泡発生部を備えて成る微細気泡噴出装置を好適に用いることができる。本発明の大きな特徴としては、肩支持部４に肩を支持させた入浴者Ａの背中とノズル部３との間に隙間Ｓを形成させるための隙間形成手段５が備えられていることにある。
【００１３】
本例の隙間形成手段５は、浴槽１の底壁１ｂにおける上記入浴者Ａの背中に対向する側壁２から離れた位置に臀部載置部６を設けると共に、この臀部載置部６に臀部挿入用の凹部７を凹設して構成されている。詳しくは、本例の臀部載置部６は、リラックスした状態で槽部１ｃに入浴できる自然な入浴姿勢における入浴者Ａの臀部の位置よりもやや槽部１ｃの中寄りの部位に設けられている。また、臀部挿入用の凹部７は、入浴者Ａの臀部が嵌まり込む形状に形成されていて、入浴者Ａが入浴者Ａの背中に対向する側壁２と足側壁１０とを結ぶ方向（浴槽１の長手方向）に略ずれないように、入浴者Ａの臀部が引っ掛かり得るようにされている。具体的に凹部７の深さは５〜１００ｍｍ程度であるのが好ましい。
【００１４】
しかして、本例の浴槽１の槽部１ｃに入浴者Ａが浸かるように入浴する際には、図１のように、入浴者Ａの肩を肩支持部４に支持させて入浴者Ａの背中に対向する側壁２に身体を凭れかけると共に、浴槽１の底壁１ｂにおける該側壁２から離れた位置に設けた臀部載置部６に入浴者Ａの臀部を載置させる、といった入浴姿勢で行われる。つまり、ノズル部３が配設される入浴者Ａの背中に対向する側壁２の肩支持部４より下方の壁面２ａは、上記入浴姿勢の入浴者Ａの背中のラインが沿う肩支持部４と臀部載置部６とを結ぶ線よりも槽外方に位置すると共に、該肩支持部４と臀部載置部６とを結ぶ線よりも急勾配になるようになっており、入浴者Ａの背中とノズル部３との間に隙間Ｓが確保されるのであり、入浴者Ａの背中によってノズル部３が塞がれてしまうことが防止されると共に、入浴者Ａの身体には所定の噴出圧が付与可能になっている。
【００１５】
ここで、この入浴者Ａの入浴姿勢は、図５（ｂ）のようにノズル部３を塞がないもののノズル部３から噴出する噴出圧に耐えることが難しい不自然な入浴姿勢となっている。しかしながら、本例の入浴姿勢では入浴者Ａはその臀部が臀部載置部６に凹設した臀部挿入用の凹部７に挿入されて維持されるので、上記噴出圧に耐えることは容易になっている。しかして、噴出圧に耐えようとしてリラックス感を得ることができなかった従来の浴槽１とは異なり、本例の浴槽１では不自然な入浴姿勢ではあるが噴出圧に耐えることは容易であってリラックス感を得ることができるのである。すなわち、本例の浴槽１では、入浴者Ａはノズル部３を塞がずに所定の噴射圧にてマッサージ施療が行われると共に噴出圧にも容易に耐えることができてリラックス感をもって浴槽１内に浸かることが可能になっているのである。更に言うと、臀部挿入用の凹部７を臀部載置部６に凹設したことによると、入浴者Ａはその臀部を臀部挿入用の凹部７に挿入させて臀部載置部６に正確且つ容易に位置できるという利点も有している。
【００１６】
図２には本発明の実施の形態の他例を示す、本例の浴槽１に備えた隙間形成手段５は、入浴者Ａの背中に対向する側壁２の上部に槽内方に突出して肩支持部４を設け、肩支持部４よりも下方の入浴者Ａの背中に対向する側壁２の壁面２ａを、浴槽１の底壁１ｂの臀部載置部６と肩支持部４とを結ぶ線よりも槽外方に位置させると共に、該臀部載置部６と肩支持部４とを結ぶ線に略平行に形成して構成されている。ここで、本例の臀部載置部６は、入浴者Ａの背中に対向する側壁２の上部に槽内方に突設した肩支持部４に肩を凭れかけて入浴者Ａが自然な入浴姿勢をとった際の、入浴者Ａの臀部を載置する位置に設けられている。
【００１７】
本例の浴槽１にあっては、入浴者Ａは入浴者Ａの背中に対向する側壁２の上部に槽内方に突設した肩支持部４に肩を支持させて自然な入浴姿勢をとるのであるが、このとき、ノズル部３の設けられる肩支持部４よりも下方の入浴者Ａの背中に対向する側壁２の壁面２ａが浴槽１の底壁１ｂの臀部載置部６と肩支持部４とを結ぶ線よりも外方に位置させると共に該臀部載置部６と肩支持部４とを結ぶ線に略平行に形成してあるから、自然な入浴姿勢にある入浴者Ａの背中がノズル部３を塞いでしまうことがないようになっている。つまり、ノズル部３が配設される入浴者Ａの背中に対向する側壁２の肩支持部４より下方の壁面２ａは、自然な入浴姿勢の入浴者Ａの背中のラインが沿う肩支持部４と臀部載置部６とを結ぶ線よりも槽外方に位置することとなって、入浴者Ａの背中とノズル部３との間に隙間Ｓが確保されるのであり、入浴者Ａの背中によってノズル部３が塞がれてしまうことが防止されると共に、入浴者Ａの身体には所定の噴出圧が付与可能になっている。すなわち、本例の浴槽１でも、入浴者Ａはノズル部３を塞がずに所定の噴射圧にてマッサージ施療が行われると共に噴出圧にも容易に耐えることができてリラックス感をもって浴槽１内に浸かることが可能になっているのである。更に言うと、ノズル部３の水の噴出方向を入浴者Ａの背中に対向する側壁２の壁面に直交する方向に設定すると、入浴者Ａに略直交して噴出した水を当てることができ、水の噴出圧を強く効果的に入浴者Ａに付与することができる。
【００１８】
なお、入浴する入浴者Ａに噴出圧に対する耐性を備えるには上述したように入浴者Ａに自然な入浴姿勢をとらせることで充分であるが、入浴時の臀部の載置位置の安定性を鑑みて本例のように臀部載置部６に臀部挿入用の凹部７を凹設してもよいのは言うまでもない。
【００１９】
また、図示はしないが、浴槽１の底壁１ｂの臀部載置部６と肩支持部４とを結ぶ線よりも外方に位置させると共に該臀部載置部６と肩支持部４とを結ぶ線に略平行に形成した肩支持部４よりも下方の入浴者Ａの背中に対向する側壁２の壁面２ａは比較的広い部位であってノズル部３を複数個設けることもできる。この場合、全てのノズル部３で入浴者Ａの背中が塞いでしまうことが回避できると共に、各ノズル部３と入浴者Ａの背中との間には一定の隙間Ｓを有するようにできるから、全てのノズル部３から入浴者Ａに所定の噴出圧を付与することができるのである。更に言うと、ノズル部３の設けられる肩支持部４よりも下方の入浴者Ａの背中に対向する側壁２の部位と入浴者Ａの背中との間には略一定の隙間Ｓが確保されるから、ノズル部３に首振り機構を有して多方向に水を噴出可能にするノズル部３が採用された場合にも、ノズル部３から噴出した水を入浴者Ａの適宜の身体部位に当てることが容易にできる利点を有している。
【００２０】
図３には本発明の実施の形態の更に他例を示す。本例の浴槽１に備えた隙間形成手段５は、入浴者Ａの背中に対向する側壁２の上部に槽内方に突出して肩支持部４を設け、浴槽１の底壁１ｂの臀部載置部６の槽内方側に隣接した位置に上方に突出して入浴者Ａの臀部の槽内方への移動規制をするための臀部規制部１１を設けて構成されている。ここで、本例の肩支持部４及び臀部規制部１１は、別体のブロック状または任意形状の突起物４ａ，１１ａをそれぞれ浴槽１の適宜箇所に取り付けることで形成されている。肩支持部４の上記側壁２からの槽内方への突出高さや、臀部規制部１１の底壁１ｂからの上方への突出高さは、１０〜１００ｍｍ程度が好ましい。
【００２１】
ここで、本例の臀部載置部６は、入浴者Ａが不自然な入浴姿勢になる図１の例と同様の位置に設けてある。しかして、入浴者Ａの入浴姿勢は、図５（ｂ）のようにノズル部３を塞がないもののノズル部３から噴出する噴出圧に耐えることが難しい不自然な入浴姿勢となっているが、本例の入浴姿勢では入浴者Ａは臀部載置部６に載置した臀部が臀部規制部１１によって槽内方への移動規制がなされているので、上記噴出圧に耐えることは容易であってリラックス感を得ることができるようになっている。すなわち、本例の浴槽１では、入浴者Ａはノズル部３を塞がずに所定の噴射圧にてマッサージ施療が行われると共に噴出圧にも容易に耐えることができてリラックス感をもって浴槽１内に浸かることが可能になっているのである。更に言うと、浴槽１の底壁１ｂの臀部載置部６の槽内方側に隣接した位置に臀部規制部１１を設けたことによると、入浴者Ａはその臀部を臀部規制部１１に引っ掛けて臀部載置部６に正確に位置させることもできるという利点も有している。
【００２２】
なお、臀部載置部６を入浴者Ａが自然な入浴姿勢となる臀部の位置に設けてもよい。これによると、図２の例と同様に、ノズル部３が配設される入浴者Ａの背中に対向する側壁２の肩支持部４より下方の壁面２ａは、自然な入浴姿勢の入浴者Ａの背中のラインが沿う肩支持部４と臀部載置部６とを結ぶ線よりも槽外方に位置することとなって、入浴者Ａの背中とノズル部３との間に隙間Ｓが確保され、入浴者Ａの背中によってノズル部３が塞がれてしまうことが防止されると共に、入浴者Ａの身体には所定の噴出圧が付与可能にすることができる。この場合、臀部規制部１１は、入浴者Ａが臀部を臀部載置部６に正確に位置させるために役立つと共に、万が一に水の噴出圧によってバランスを崩した入浴者Ａの支えとして機能できる利点がある。
【００２３】
図４には本発明の実施の形態の更に他例を示す。本例の浴槽１に備えた隙間形成手段５は、入浴者Ａの背中に対向する側壁２に入浴者Ａの背中が入らない大きさの凹み部８を槽外方に凹設すると共に、この凹み部８の底部８ａにノズル部３を配設して構成されている。具体的に、本例の凹み部８は入浴者Ａの背中に対向する側壁２の幅方向（浴槽１の長手方向と略直交する方向）の中央で上下に亘って形成された凹条溝９によって構成されており、ノズル部３は凹条溝９の溝底部９ａに配設されている。なお、肩支持部４は上記凹条溝９が凹設されない入浴者Ａの背中に対向する側壁２の上部の部位が構成しており、臀部載置部６は図５（ａ）と同様の底壁１ｂにおける入浴者Ａの背中に対向する側壁２の近接部位に設けられている。また、ノズル部３の設けられる凹条溝９の溝底部９ａは、浴槽１の底壁１ｂの臀部載置部６と肩支持部４とを結ぶ線よりも外方に位置されると共に、該臀部載置部６と肩支持部４とを結ぶ線に略平行になるような面に形成されている。本例の浴槽１における入浴者Ａの入浴姿勢は自然な入浴姿勢をとることができるのであって、この入浴姿勢にある入浴者Ａの背中のラインは入浴者Ａの背中に対向する側壁２に略沿うような臀部載置部６と肩支持部４とを結ぶ線にあるが、少なくとも入浴者Ａの背中とノズル部３との間には凹条溝９の溝深さ分の距離をとることができるのであり、したがって、自然な入浴姿勢の入浴者Ａはノズル部３を塞がずにリラックス感をもって浴槽１内に浸かることができるようになっている。更に言うと、ノズル部３の水の噴出方向を溝底部９ａの面に直交する方向に設定すると、入浴者Ａに略直交して噴出した水を当てることができ、水の噴出圧を強く効果的に入浴者Ａに付与することができる。
【００２４】
また図示はしないが、浴槽１の上下に亘る凹条溝９には複数個のノズル部３を浴槽１の上下方向に並べて設けることができる。この場合、凹条溝９の溝底部９ａが浴槽１の底壁１ｂの臀部載置部６と肩支持部４とを結ぶ線よりも外方に位置させると共に、該臀部載置部６と肩支持部４とを結ぶ線に略平行に形成されているから、全てのノズル部３で入浴者Ａが塞いでしまうことが回避できると共に、各ノズル部３と入浴者Ａとの間には一定の隙間Ｓを有するようにできて、全てのノズル部３から入浴者Ａに所定の噴出圧を付与することができるのである。更に言うと、ノズル部３の設けられる肩支持部４よりも下方の入浴者Ａの背中に対向する側壁２の部位と入浴者Ａの背中との間には略一定の隙間Ｓが確保されるから、ノズル部３に首振り機構を有して多方向に水を噴出可能にするノズル部３が採用された場合にも、ノズル部３から噴出した水を入浴者Ａの適宜の身体部位に当てることが容易にできる利点を有している。
【図面の簡単な説明】
【００２５】
【図１】本発明の実施の形態の例の浴槽に入浴者が入浴した際の側断面図である。
【図２】本発明の実施の形態の他例の浴槽に入浴者が入浴した際の側断面図である。
【図３】本発明の実施の形態の更に他例の浴槽に入浴者が入浴した際の側断面図である。
【図４】本発明の実施の形態の更に他例の浴槽であって、（ａ）は斜視図であり、（ｂ）は浴槽に入浴者が入浴した際の側断面図である。
【図５】従来技術の例であって、（ａ）は入浴者が自然な入浴姿勢をとった際の問題を説明する説明図であり、（ｂ）は入浴者が不自然な入浴姿勢をとった際の問題を説明する説明図である。
【符号の説明】
【００２６】
１  浴槽
２  側壁
３  ノズル部
４  肩支持部
５  隙間形成手段
６  臀部載置部
７  凹部
８  凹み部
８ａ  底部
９  凹条溝
９ａ  溝底部
【図１】
2007260170.tif 000003
【図２】
2007260170.tif 000004
【図３】
2007260170.tif 000005
【図４】
2007260170.tif 000006
【図５】
2007260170.tif 000007